(57)【要約】【課題】架空配電線への防具の取り付け作業を１人で行うことができ、また、取り付ける電線の長さに応じて防具本体の長さを調節することが可能な伸縮式絶縁防護具を提供する。また、防護する電線に合わせて長さを微調整でき、架空配電線の絶縁防護に寄与しない余長分を表出させないようにして見栄えを良くすると共に、活線作業の邪魔にならないようにする。【解決手段】伸縮式絶縁防護具１を、一対のクリップ２，３と、絶縁性のシート部材４をロール状に巻回した状態で引き出し可能に収容された一対のシート収容ブロック５とを有して構成する。一方のクリップ２の対をなす挟持部１０ａ，１１ａに一対のシート収容ブロック５を磁石２０，２１によって着脱可能に固定し、他方のクリップ３の対をなす挟持部１０ａ，１１ａにシート部材４のシート収容ブロック５から引き出された先端部を磁石２０，２１によって着脱可能に固定する。【選択図】  図１
2013192306.tif 000002
【特許請求の範囲】
【請求項１】
間に介在される被挟持物を挟み込む挟持力が常時付勢された対をなす挟持部を備える一対のクリップと、絶縁性のシート部材をロール状に巻回した状態で引き出し可能に収容された一対のシート収容ブロックと、
一方のクリップの前記対をなす挟持部に前記一対のシート収容ブロックを着脱可能に固定する第１の固定手段と、他方のクリップの前記対をなす挟持部に前記シート部材の前記シート収容ブロックから引き出された先端部を着脱可能に固定する第２の固定手段とを具備することを特徴とする伸縮式絶縁防護具。
【請求項２】
前記シート部材の両側縁には、対峙する他のシート部材に向けて延出されたヒダが設けられていることを特徴とする請求項１記載の伸縮式絶縁防護具。
【請求項３】
前記一対のクリップは、伸縮可能な絶縁性の伸縮棒によって連結されていることを特徴とする請求項１又は２記載の伸縮式絶縁防護具。
【請求項４】
前記伸縮棒は、それぞれの前記クリップの対をなす挟持部の回動中心に取り付けられると共に、断面矩形に形成され、前記一対のシート部材の前記対をなす挟持部の回動中心に近い側の側縁間を塞ぐように取り付けられていることを特徴とする請求項３記載の伸縮式絶縁防護具。
【請求項５】
前記第１の固定手段は、前記一方のクリップの対をなす挟持部に固定された磁石と前記一対のシート収容ブロックに固定された磁石とによって互いに吸着させるものであり、
前記第２の固定手段は、前記他方のクリップの対をなす挟持部に固定された磁石と前記シート部材の前記シート収容ブロックから引き出された先端部に固定された磁石とによって互いに吸着させるものであることを特徴とする請求項１乃至４のいずれかに記載の伸縮式絶縁防護具。
【発明の詳細な説明】
【技術分野】
【０００１】
この発明は、配電設備の引下げ線や架線などの架空配電線に取り付けられて、活線工法による作業時の感電、短絡事故などを有効に防止する伸縮式絶縁防護具に関する。
【背景技術】
【０００２】
従来より架空配電線などの配電設備を工事する際には、電線が通電した状態において工事を行う活線工法が採用されているが、このような作業においては、絶縁シートを架空配電線の所要箇所に予め被覆させておくことで、作業者が作業中に感電したり、誤って短絡させたりするなどの不測の事故の発生を防止するようにしている。
【０００３】
たとえば、図６に示すように、高圧架空線１００より分岐して下方のトランス１０１などに接続させる高圧引下げ線１０２おいては、引下線コネクタ１０３の取り付け、取り外し作業の際に、３線あるうちの中線のみに絶縁防護具（絶縁シート）１０４を取り付ける場合が多く、所要の幅と長さを備えた絶縁シート１０４を引下げ線１０２に沿った仮想線で折り畳んで引下げ線１０２を挟み込み、その後、絶縁シート１０４の両端部（上下端部）をクリップ１０５で挟持することで絶縁シート１０４を引下げ線１０２に固定するようにしている（特許文献１等参照）。
【先行技術文献】
【特許文献】
【０００４】
【特許文献１】特開平１０―２７１６２８号公報
【発明の開示】
【発明が解決しようとする課題】
【０００５】
しかしながら、上述のような絶縁防護具（絶縁シート）においては、取り付ける電線の長さに応じて、シートの長さを使い分ける必要があり、絶縁シートが長い場合には、複数人によって取り付け作業を行わなければならなくなるため作業が煩雑化すると共に、防護具自体を落下させてしまうなどの不都合もある。また、電線の長さが長い場合には、シートの長さが足りず、同図に示されるように、複数枚のシートを重ねて取り付けなければならなくなり、シートを重ねて取り付ける場合においては、隣り合うシート間に隙間ができて確実な絶縁性を確保することができなくなる不都合が懸念される。
【０００６】
この場合、長い絶縁シートで全ての長さの電線に対応することも考えられるが、長い絶縁シートを短い電線に用いた場合には、余長が生じ、別途、余長処理が必要になると共に長さを微調整しにくいものであり、余長をうまく処理できない場合には、見栄えが悪いのみならず、活線作業の邪魔になるものであった。
【０００７】
本発明は、係る事情に鑑みてなされたものであり、架空配電線への防護具の取り付け作業を１人でも行うことができ、また、取り付ける電線の長さに応じて長さを調節することが可能な伸縮式絶縁防護具を提供することを主たる課題としている。
また、防護する電線の箇所に合わせて長さを微調整でき、電線の防護に寄与しない余長分を表出させないようにして見栄えを良くすると共に、活線作業の邪魔にならないようにすることをも課題としている。
【課題を解決するための手段】
【０００８】
上記課題を達成するために、本発明にかかる伸縮式絶縁防護具は、間に介在される被挟持物を挟み込む挟持力が常時付勢されて対をなす挟持部を備えた一対のクリップと、絶縁性のシート部材をロール状に巻回した状態で引き出し可能に収容された一対のシート収容ブロックと、一方のクリップの対をなす挟持部に前記一対のシート収容ブロックを着脱可能に固定する第１の固定手段と、他方のクリップの対をなす挟持部に前記シート部材の前記収容ボックスから引き出された先端部を着脱可能に固定する第２の固定手段とを具備することを特徴としている。
【０００９】
したがって、このような絶縁防護具を架空配電線の所要箇所に取り付ける場合には、シート部材をロール状に巻回してシート収容ブロックに収容した状態にしておき、この状態でシート収容ブロックをクリップと共に架空配電線の周囲を覆うように取り付け、絶縁防護具で覆いたい箇所の一端側に寄せてクリップによって架空配電線を挟持しておく。その後、シート部材の先端部に取り付けられたクリップを緩め、そのままクリップを架空配電線に沿って防護したい部分を覆うように移動させて、巻回していたシート部材を引き出して伸長させる。そして、所望の長さに達した段階で、開いていたクリップを閉じてシート部材の端部を電線と共に挟持すれば、架空配電線の所望の範囲を覆うことが可能となる。
このため、伸ばしたい側のクリップの移動量を調節することで、架空配電線の覆いたい範囲を容易に調節することができるので、防具の取り付け作業を一人でも行うことが可能となり、また、絶縁が必要となる電線の長さに応じてシート部材の伸長量を調節できるので、絶縁防護具が電線の長さに依存することがなくなる。
【００１０】
また、架空配電線の絶縁防護に寄与しない余長分が生じた場合でも、シート部材の余長部分をシート収容ブロックに収容することができるので、格別な余長処理が不要となり、余長分を表出させないようにすることが可能となる。
【００１１】
ここで、シート部材の両側縁に対峙する他のシート部材に向けて延出されたヒダを設けるようにするとよい。このような構成によれば、一対のシート部材の側縁間の隙間がヒダで塞がれるので、電線がシート部材間の隙間から導電物に接触する恐れがなくなる。また、両側縁にヒダを設けているので、クリップにシート部材を固定する向きが限定されることがなくなる。
【００１２】
また、前記一対のクリップは、伸縮可能な絶縁性の伸縮棒によって連結される構成としてもよい。このような構成とすれば、クリップの移動方向を安定させることができ、シート部材のスムーズな伸縮が可能となる。
【００１３】
ここで、伸縮棒は、それぞれ前記クリップの対をなす挟持部の回動中心に取り付けられると共に、断面矩形に形成され、前記一対のシート部材の前記対をなす挟持部の回動中心に近い側の側縁間を塞ぐように取り付けられることが好ましい。このような構成を採用すれば、あえて上述したヒダを形成しなくてもクリップの回動中心側のシート部材間の隙間を伸縮棒によって閉塞できるので、間接活線工具などとの接触を防ぐことが可能となる。
【００１４】
なお、第１の固定手段としては、前記一方のクリップの対をなす挟持部に固定された磁石と前記一対のシート収容ブロックに固定された磁石とによって互いに吸着させるものとし、また、第２の固定手段としては、前記他方のクリップの対をなす挟持部に固定された磁石と前記シート部材の前記シート収容ブロックから引き出された先端部に固定された磁石とによって互いに吸着させるものとしてもよい。
【発明の効果】
【００１５】
以上のように、本発明によれば、間に介在される被挟持物を挟み込む挟持力が常時付勢されて対をなす挟持部を備えた一対のクリップと、絶縁性のシート部材をロール状に巻回した状態で引き出し可能に収容された一対のシート収容ブロックと、一方のクリップの対をなす挟持部に前記一対のシート収容ブロックを着脱可能に固定する第１の固定手段と、他方のクリップの対をなす挟持部に前記シート部材の前記収容ボックスから引き出された先端部を着脱可能に固定する第２の固定手段とを具備して構成するようにしたので、架空配電線への防具の取り付けを１人でも行うことができ、また、取り付ける電線の長さに応じて防具本体の長さを微調整することが可能なり、防護具の取り付け作業が容易になると共に、効率的に作用を行うことが可能となる。
【００１６】
また、架空配電線の絶縁防護に寄与しない余長分が生じた場合でも、シート部材の余長部分をシート収容ブロックに収容することができるので、格別な余長処理が不要となり、余長分を表出させないようにして見栄えを良くすると共に、活線作業の邪魔にならないようにすることが可能となる。
【図面の簡単な説明】
【００１７】
【図１】図１は、本発明に係る伸縮式絶縁防護具を示す斜視図である。
【図２】図２（ａ）は、本発明に係る伸縮式絶縁防護具の側面図（シート部材に対して垂直方向から見た図）であり、図２（ｂ）は、本発明に係る伸縮式絶縁防護具の正面図（（ａ）の左方から見た図）である。
【図３】図３は、シート部材の側縁に設けられたヒダを説明する図であり、（ａ）はその斜視図、（ｂ）はその正面図（ロールの軸方向から見た図）である。
【図４】図４は、本発明に係る伸縮式絶縁防護具を電線（引下げ線）に取り付けた状態を示す図であり、（ａ）は、伸縮式絶縁防護具を縮めた状態を示す図であり、（ｂ）は、伸縮式絶縁防護具の下端部のクリップを下方へ下げてシート部材を伸ばした状態を示す図である。
【図５】図５は、本発明に係る伸縮式絶縁防護具において、一対のクリップ間に伸縮棒を連結させた変形例を示す図である。
【図６】図６は、活線作業を行うにあたり、高圧引下線の中線に従来の絶縁シートを取り付けた状態を示す斜視図である。
【発明を実施するための形態】
【００１８】
以下、この発明の実施例を図面に基づいて説明する。
図１及び図２において、本発明に係る伸縮式絶縁防護具の構成例が示されている。
この伸縮式絶縁防護具１は、間に介在される被挟持物を挟み込む挟持力が常時付勢された対をなす挟持部１０ａ，１１ａを備える一対のクリップ２，３と、シート部材４が収容された一対のシート収容ブロック５とを有して構成されている。
【００１９】
それぞれのシート収容ブロック５は、絶縁性のシート部材４をロール状に巻回した状態で引き出し可能に収容されているもので、断面直方体形状に形成された筐体５ａの内部にシート部材４を巻き取る巻取軸５ｂが回転可能に支持され、筐体５ａの下面にシート部材４を引き出すスリット５ｃが形成されている。
【００２０】
シート部材４は、布、合成樹脂等の柔軟かつ絶縁性の素材で形成された巻き取り可能な長尺形状のもので、その基端が巻取軸５ｂに固定され、巻取軸５ｂを常時巻取り方向へ付勢する図示しないスプリングや周知のストッパ機構等により捲回・引き出し自在に取り付けられており、シート部材を任意の長さまで引き出した状態で静止させることができるようになっている。また、引き出されて固定されたシート部材４を、わずかに引き出すことによって、筐体５ａ内の巻取軸５ｂの周りに捲回させることができるようになっている。
【００２１】
また、このシート部材４には、その側縁に沿って、予めヒダ４ａが一体に形成されている。このヒダ４ａは、対峙するシート部材に向かって延出されるように形成され、図３にも示されるように、側縁から幾分内側に入った部位に一体に形成され、筐体５ａに収容される際には、シート部材４の側縁と重なるように外側へ曲げられてシート表面に密着した状態で収容されるようになっている。このヒダ４ａは、シート部材４の始端近傍から基端近傍にかけて形成され、シート部材４を筐体５ａから引き出した際には、引き出した長さの分だけヒダ４ａが連続して突出するようになっている。
【００２２】
シート部材４のシート収容ブロック５から引き出された先端部には、可動ブロック６が取り付けられている。この可動ブロック６は、シート収容ブロック５と同じ長さ及び幅を有する直方体形状に形成され、上面の中央に長手方向に沿ってスリット６ａが形成され、このスリット６ａを介してシート部材４を挿入して内部でシート部材の先端部が外れないようにしっかり固定されている。
【００２３】
一対のクリップ２，３のそれぞれは、例えば硬質のプラスチック材料などで形成された対をなすクリップ片１０，１１と、これらクリップ片１０，１１をその略中間部で軸支する軸１２と、軸１２の位置でクリップ片１０，１１に外装された環状カバー１３とを備えている。それぞれのクリップ片１０，１１は、軸１２よりも先端側が挟持部１０ａ，１１ａを構成し、軸１２よりも基端側が操作部１０ｂ，１１ｂを構成している。
【００２４】
軸１２には、図示しないコイルばねが弾装され、その両端部がそれぞれ操作部１０ｂ、１１ｂの内側に延在しており、これにより操作部１０ｂ，１１ｂは、常時離反する方向に付勢され、また、前記挟持部１０ａ，１１ａは、互いに接近する方向に常時付勢されている。
【００２５】
各挟持部１０ａ、１１ａは、この例においては、それぞれ略直方体形状に形成されており、両者の互いに対向する内面には、これらの長さ方向に延設された凹部１０ｃ、１０ｄ；１１ｃ、１１ｄが形成されている。凹部１０ｃ，１１ｃは緩やかに湾曲した側面視で円弧状のくぼみに形成され、凹部１０ｄ，１１ｄは側面視で長方形状に形成されている。
【００２６】
操作部１０ｂ、１１ｂの互いに反対を向く外面には、ヤットコ等の間接活線把持具で把持される平坦なグリップ面１０ｆ，１１ｆが形成されている。これらのグリップ面１０ｆ，１１ｆは、挟持部１０ａ，１１ａが閉じた状態において略平行となるように形成されている。
【００２７】
そして、それぞれのクリップ２，３の対をなす挟持部１０ａ，１１ａの片面（図中、クリップ２の挟持部の下面と、クリップ３の挟持部の上面）には、板状の一対の磁石２０が固定され、また、それぞれのシート収容ブロック５のスリット５ｃが形成されている面とは反対側の外面と、可動ブロック６のスリット６ａが形成されている面とは反対側の外面に、前記クリップ２，３に固定された磁石２０と吸着可能な板状の磁石２１がそれぞれ固定されている。それぞれの磁石２０，２１は、取り付けられる面全体を覆う程度の大きさに形成されている。
【００２８】
そして、クリップ２の磁石２０が設けられた側を下側にして、このクリップ２をシート収容ブロック５の上面に対して磁石２０，２１を介して吸着し、クリップ３の磁石２０が設けられた側を上側にして、このクリップ３を可動ブロック６の下面に対して磁石２０，２１を介して吸着させるようにしている。
【００２９】
以上の構成において、例えば、架空配電線としての引下げ線１０２に絶縁防護具１を取り付ける場合には、図１に示されるように、一方のクリップ２をシート収容ブロック５の上面に磁石２０，２１を介して吸着させておくと共に、他方のクリップ３を可動ブロック６の下面に磁石２０，２１を介して吸着させておき、可動ブロック６をシート収容ブロック５に当接させるように近接させ、シート部材４をできるだけシート収容ブロック５に収容させておく。
【００３０】
そして、上側のクリップ２の操作部１０ｂ，１１ｂをヤットコ等の間接活線把持具で把持してシート部材間に隙間を形成した状態にして引下げ線１０２の上端部へ近づけ、シート部材４を引下げ線１０２に沿わせつつ、引下げ線１０２を挟み込むようにしてシート部材４を引下げ線１０２の周囲に取り付ける（シート部材４の間に引下げ線１０２を側方から差し入れる）。
【００３１】
その後、上側のクリップ２の間接活線把持具による把持状態を解除し、下側のクリップ３の操作部１０ｂ、１１ｂを把持して一対のシート部材４の下部を開き、引下げ線１０２を一対のシート部材４の間に差し入れ、図４（ａ）に示されるような状態を形成する。
【００３２】
その後、下側のクリップ３の操作部１０ｂ、１１ｂを把持してクリップの挟持部１０ａ，１１ａによる一対のシート部材４の挟持を緩め、下側のクリップ３を下方へ引き下げると、図４（ｂ）に示されるように、上側のクリップ２の位置は固定されたまま、シート部材４が伸長して引下げ線１０２を覆うことが可能となり、下側のクリップ３の固定位置を調整することで、引下げ線１０２の任意の範囲を絶縁防護することが可能となる。
【００３３】
また、絶縁防護具１を引下げ線１０２から取り外す場合には、下側のクリップ３を間接活線把持具で把持して開き、その状態でそのクリップ３を一旦引っ張った後に上側のクリップ２に向かって動かせば、シート部材４は、シート収容ブロック５の内部のスプリングのバネ力により巻き取られて収容され、可動ブロック６がシート収容ブロック５へ近接してその下端に当接することとなる。
そして、シート部材４がシート収容ブロック５に収容された状態で、上側のクリップ２を操作部を把持して（挟持部を開いて）シート収容ブロック５と共に引下げ線１０２から取り外し、その後、下側のクリップ３を操作部を把持して（挟持部を開いて）可動ブロック６と共に引下げ線１０２から取り外せば、絶縁防護具１の取り外しは完了する。
【００３４】
したがって、上述の構成によれば、クリップ３を移動させることで、引下げ線１０２の覆いたい範囲を調節することができるので、絶縁防護具１の取り付け作業は一人でも行うことが可能となり、また、絶縁が必要となる電線の長さに応じてシート部材４の伸長量を調節することが可能となるので、絶縁防護具１が電線の長さに依存することがなくなる。このため、絶縁防護具１の取り付け作業が容易になると共に、絶縁防護具１を複数用意する必要がないことから、効率的に作用を行うことが可能となる。
【００３５】
また、引下げ線１０２の絶縁防護に寄与しない余長分が生じた場合でも、シート部材４の余長部分をシート収容ブロック５に収容することができるので、格別な余長処理が不要となり、余長分を表出させないようにすることが可能となる。このため、電線の防護に寄与しない余長分が表出しないことから、見栄えが良くなると共に、活線作業の邪魔になることもなくなる。
【００３６】
図５において、上述した構成の変形例が示されている。この例においては、上記一対のクリップ２，３が、伸縮可能な絶縁性の伸縮棒３０よって連結されている。
【００３７】
伸縮棒３０は、それぞれのクリップ１，２の対をなす挟持部クリップ片１０，１１の回動中心（クリップ片１０，１１の連結部１２）に取り付けられているもので、この例では、径が徐々に大きくなる小筒状体３１、中筒状体３２、大筒状体３３を順次摺接可能に重ね合わせた三重筒構造に形成されている。それぞれの筒状体は、ほぼ同じ長さに形成され、隣合う筒状体は、外側にくる筒状体にスリット３２ａ，３３ａが形成され、内側にくる筒状体にスリット３２ａ，３３ａに摺動可能に挿入されるピン３１ｂ，３２ｂが外周に形成されて、筒状体の抜けが防止されている。
【００３８】
伸縮棒３０は、断面矩形に形成され、一対のシート部材４の挟持部１０ａ，１１ａの基端側に近い側（挟持部１０ａ，１１ａの回動中心側）の側縁間を塞ぐように設けられ、伸縮棒３０の断面の対角線が一対のシート部材の側縁間を結んだ仮想線に対して略平行となるように取り付けられている。
【００３９】
伸縮棒３０のクリップ２，３の連結部１２への固定は、各種構成が考えられるが、例えば、伸縮棒３０の端部に設けられた挿入部３５をクリップ２，３の連結部１２に形成された嵌合孔３８に嵌合させる場合において、伸縮棒３０の挿入部３５の外周面に弾性部材３６により径方向外側へ付勢された突出部３７を設け、これに対してクリップ２，３の連結部１２に形成された嵌合孔３８の内周面に、前記突出部３７を受ける凹部３９を設け、伸縮棒３０の挿入部３５をクリップ２，３の連結部１２の嵌合孔３８に挿入することで、突出部３７を凹部３９に係合させてワンタッチで固定するようにしている。
【００４０】
以上の構成においては、一対のクリップ２，３が、伸縮可能な絶縁性の伸縮棒３０によって連結されているので、クリップ２，３の移動方向を安定させることができ、シート部材４のスムーズな伸縮が可能となる。
また、伸縮棒３０は、断面矩形に形成され、一対のシート部材４のクリップ２，３の回動中心側の側縁間を塞ぐように取り付けられているので、図１で示したようなヒダ４ａを敢えて設けなくても、クリップ２，３の回動中心側の側縁間の隙間を伸縮棒３０によって閉塞することができるので、挟み込んだ電線と間接活線工具などとの接触を防ぐことが可能となる。
【００４１】
なお、上述の構成例においては、引下げ線１０２に伸縮式絶縁防護具を設けた例を示したが、高圧架線などの他の架空配電線に同様に採用してもよい。
【符号の説明】
【００４２】
１  伸縮式絶縁防護具
２，３  クリップ
４  シート部材
４ａ  ヒダ
５  シート収容ブロック
６  可動ブロック
２０，２１  磁石
３０  伸縮棒
【図１】
2013192306.tif 000003
【図２】
2013192306.tif 000004
【図３】
2013192306.tif 000005
【図４】
2013192306.tif 000006
【図５】
2013192306.tif 000007
【図６】
2013192306.tif 000008